(57)【要約】ＴＶ及びＦＭ無線信号の双方に対する自動利得制御の方法では、ＴＶ及びＦＭ無線信号を制御可能な増幅器（ＡＧＣ−ＡＭＰ）で増幅して増幅器出力信号を得、この増幅器出力信号を同調器処理して（Ｆ，ＭＩＸ，ＩＦ−ＡＭＰ）同調器出力信号を得、この同調器出力信号を制御信号（Ｔ−ＡＧＣ）として前記制御可能な増幅器（ＡＧＣ−ＡＭＰ）に供給し、このようにして形成したＡＧＣループの帯域幅をＴＶチャネルにとって充分広くし、同調器出力信号を狭帯域濾波して（ＣＦ）、ＦＭ無線チャネルの帯域幅にほぼ一致する帯域幅を有する狭帯域フィルタ信号を得る。【特許請求の範囲】
【請求項１】
テレビジョン及び周波数変調無線信号の双方に対する自動利得制御方法であって、この制御方法が、
テレビジョン及び周波数変調無線信号を増幅して増幅器出力信号を得る可制御増幅工程と、
この増幅器出力信号を処理して同調器出力信号を得る同調器処理工程と、
この同調器出力信号を制御信号として前記可制御増幅工程に与え、これによって形成された自動利得制御ループの帯域幅をテレビジョンチャネルにとって充分広くする工程と
を具える自動利得制御方法。
【請求項２】
請求項１に記載の自動利得制御方法であって、この制御方法が更に、前記同調器出力信号を中間周波処理して前記可制御増幅工程に対する他の制御信号を得る工程を有する自動利得制御方法。
【請求項３】
請求項２に記載の自動利得制御方法であって、この制御方法が更に、前記他の制御信号を前記可制御増幅器に結合或いは減結合する工程を有する自動利得制御方法。
【請求項４】
請求項１に記載の自動利得制御方法であって、この制御方法が更に、
前記同調器出力信号を狭帯域濾波して周波数変調無線チャネルの帯域幅にほぼ一致する帯域幅を有する狭帯域濾波信号を得る工程と、
前記同調器出力信号の周波数変調を復調して前記可制御増幅工程に対する他の制御信号を得る工程と
を有する自動利得制御方法。
【請求項５】
テレビジョン及び周波数変調無線信号に対する自動利得制御装置であって、この自動利得制御装置が、
増幅器出力信号を得るための、テレビジョン及び周波数変調無線信号用可制御増幅器と、
前記増幅器出力信号を処理して同調器出力信号を得る同調器と、
この同調器出力信号を制御信号として前記可制御増幅器に供給し、このように形成された自動利得制御ループの帯域幅をテレビジョンチャネルに対し充分広くする手段と
を有する自動利得制御装置。
【請求項６】
テレビジョン及び周波数変調無線信号に対する受信装置であって、この受信装置が、
請求項５に記載の自動利得制御装置と、
前記同調器出力信号を処理して前記可制御増幅器に対する他の制御信号を得る中間周波数処理手段と
を有する受信装置。
【請求項７】
請求項６に記載の受信装置であって、この受信装置が更に、
周波数変調無線チャネルの帯域幅にほぼ一致する帯域幅を有する狭帯域濾波信号を得るための、前記同調器出力信号に対する狭帯域フィルタと、
得られた前記狭帯域濾波信号から負荷−スピーカ信号を得る周波数変調音声処理回路と、
前記同調器出力信号からディスプレイ信号を得る画像信号処理回路と
を有する受信装置。
【請求項８】
請求項６に記載の受信装置であって、この受信装置が更に、前記他の制御信号を前記可制御増幅器に結合或いは減結合するスイッチング手段を有する受信装置。
【請求項９】
請求項６に記載の受信装置と、
ディスプレイ信号を表示する画像ディスプレイと
を有するディスプレイ装置。
【発明の詳細な説明】
【０００１】
本発明は、ＴＶ（テレビジョン）及びＦＭ（周波数変調）無線の双方の受信機内での自動利得制御方法及び装置に関するものである。
【０００２】
国際公開パンフレットＷＯ９４／０６２４４には可変利得増幅器が開示されている。ここには、テレビジョン受信機又はビデオテープレコーダのフロントエンド部分が記載されており、これらの各々は、ＦＭ音声搬送波及び残留ＡＭ（振幅変調）映像信号搬送波に対して別々の中間周波（ＩＦ）増幅器を用いている。各フロントエンド部分では、２つのＩＦ増幅器が、トラッキング用の自動利得制御（ＡＧＣ）回路と可変利得増幅器との整合した縦続接続回路を具えている。ＡＧＣ信号は、ビデオ検出器からの複合ビデオ信号が供給されるＡＧＣ回路によって発生され、このビデオ検出器は、残留ＡＭ映像信号搬送波用ＩＦの増幅器によって発生された増幅ＩＦ信号に応答する。この装置はＴＶ及びＦＭ無線の双方に対する受信機に適していない。その理由は、ＦＭ無線受信モードでは、ビデオ検出器が、ＡＧＣ制御信号の基礎となりうるＴＶ信号を受けないためである。
【０００３】
米国特許第 ５１４４４３９号明細書には、テレビジョン信号とＦＭ放送局との双方に同調する１つの同調器を具えているモノラルＦＭ無線及びテレビジョン受信機が開示されている。この同調器は、ＦＭ無線受信モードにおいて一定の利得設定で動作する。
【０００４】
本発明の目的は特に、ＴＶ受信及びＦＭ無線受信の双方に対する自動利得制御を提供することにある。この目的のために、本発明は、独立項に規定した自動利得制御を提供する。好適例は従属項に規定してある。
【０００５】
ＴＶ及びＦＭ無線信号の双方に対する自動利得制御方法では、ＴＶ及びＦＭ無線信号を可制御増幅器で増幅して増幅器出力信号を得、この増幅器出力信号を同調器処理して同調器出力信号を得、この同調器出力信号を制御信号として前記可制御増幅器に供給し、このようにして形成したＡＧＣループの帯域幅をＴＶチャネルに対し充分広くし、同調器出力信号を狭帯域濾波してＦＭ無線チャネルの帯域幅にほぼ一致する帯域幅を有する狭帯域濾波信号を得る。
【０００６】
本発明の上述した観点及びその他の観点は、以下の実施例に関する説明から明らかとなるであろう。
図１では、アンテナＡからのアンテナ信号はＡＧＣ増幅器ＡＧＣ−ＡＭＰ に供給され、このＡＧＣ増幅器の出力はＩＦフィルタＦとミクサＭＩＸ とＩＦ増幅器ＩＦ−ＡＭＰとの縦続接続回路に供給される。ＩＦ増幅器ＩＦ−ＡＭＰの出力はセラミックフィルタＣＦに供給され、このセラミックフィルタの出力端はＦＭ音声復調器集積回路ＦＭ Ｓｎｄ Ｄｅｍに接続されている。音声処理装置Ｓｎｄ Ｐｒｏｃは、ＦＭ音声復調器集積回路ＦＭ Ｓｎｄ Ｄｅｍの出力信号を処理して（ステレオ）負荷−スピーカ信号を負荷−スピーカＬに供給する。ＩＦ増幅器ＩＦ−ＡＭＰの出力は表面弾性波フィルタＳＡＷ にも供給され、この表面弾性波フィルタの出力端はＴＶＩＦ集積回路ＴＶ ＩＦ に接続されている。ＴＶ処理装置ＴＶ Ｐｒｏｃ は、ＴＶＩＦ集積回路の出力信号を処理して（カラー）画像信号をＴＶディスプレイＴＶＤに供給する。
【０００７】
ＩＦ増幅器ＩＦ−ＡＭＰの出力は同調器ＴＵＮ の内部のＡＧＣ信号Ｔ−ＡＧＣ としてＡＧＣ増幅器ＡＧＣ−ＡＭＰ に帰還される。随意、ＴＶＩＦ集積回路からの通常のＡＧＣ信号ＴＶ ＡＧＣも制御信号としてＡＧＣ増幅器ＡＧＣ−ＡＭＰ に供給される。随意、ＦＭ音声復調器集積回路ＦＭ Ｓｎｄ ＤｅｍからのＦＭ ＡＧＣ信号ＦＭ ＡＧＣも制御信号としてＡＧＣ増幅器ＡＧＣ−ＡＭＰ に供給される。
【０００８】
ＦＭ無線の受信中は、隣接ＦＭチャネルの強度及び近接効果が変化するため、ミクサＭＩＸ 及びＩＦ増幅器ＩＦ−ＡＭＰの保護が必要とされる。隣接ＦＭチャネルは、ＴＶの場合が６、７又は８ＭＨｚであるのに対して、２００ｋＨｚだけ互いに離れている。ＦＭ受信中のＲＦ（無線周波数）帯域幅は数ＭＨｚ程度であるため、広帯域で予め決定されたＡＧＣ又はソフトウェアで選択可能なＡＧＣが与えられる。この広帯域ＡＧＣの帯域幅は、（ＴＶ ＩＦ集積回路に対する）ＴＶ信号を処理するのに充分に広くなっている。２００ｋＨｚの代表的な帯域幅を有し、予め決定されたレベルに基づいたセラミックフィルタＣＦがＩＦの有効又は無効を決定する前に、この広帯域ＡＧＣがＩＦを確認するようになっている。このことによって、同調器段が過負荷となるのを防止している。
ここに提案した同調器内部の広帯域ＡＧＣは、従来のＴＶ ＡＧＣと一緒に、又は従来のＴＶ ＡＧＣの代わりに用いることができる。
【０００９】
図２に、本発明による他の実施例の受信機ＲＥＣ２を示す。図１の素子と同様な素子には、図１と対応する符号を付してある。
【００１０】
アンテナＡ２からのアンテナ信号はＡＧＣ増幅器ＡＧＣ−ＡＭＰ２ に供給され、このＡＧＣ増幅器の出力は同調器ユニットＴＵＮＩＴ２ に供給される。この同調器ユニットＴＵＮＩＴ２は、例えば、図１に示すようなＩＦフィルタ、ミクサ及びＩＦ増幅器を具えている。同調器ユニットＴＵＮＩＴ２ の出力端は、その出力信号を音声復調及び処理ユニットＳＤＰＵ２　と、ＴＶ復調及び処理ユニットＴＶＤＰＵ２ との双方に供給する同調器ＴＵＮ２ の出力端に結合されている。
【００１１】
これら２つのユニットはブロック線図で示してあるが、例えば、図１の対応する部分と同様な素子を具えることができる。音声復調及び処理ユニットＳＤＰＵ２　の出力端は拡声器Ｌ２に結合され、ＴＶ復調及び処理ユニットＴＶＤＰＵ２ の出力端はＴＶディスプレイＴＶＤ２ に結合されている。
【００１２】
ＴＶ復調及び処理ユニットＴＶＤＰＵ２ は更に、図１で述べた制御信号に対応する制御信号ＴＶ−ＡＧＣ２ を生じる制御出力端を具えている。この制御信号は同調器ＴＵＮ２ に供給されてＡＧＣ増幅器ＡＧＣ−ＡＭＰ２ に対する制御信号となる。ＡＧＣ増幅器は更に、図１のＡＧＣ信号と同じか或いはこれに対応する内部制御信号Ｔ−ＡＧＣ２ を受ける。
【００１３】
図２の同調器と図１の同調器ＴＵＮ との相違は、図２の同調器では、ＴＶ復調及び処理ユニットＴＶＤＰＵ２ からの制御信号が、スイッチング手段ＳＴ２　を介してＡＧＣ増幅器ＡＧＣ−ＡＭＰ２ に供給されるということである。このスイッチング手段は、ＦＭ無線信号の受信中にこのスイッチング手段が開き、ＴＶ信号の受信中にはこのスイッチング手段が閉じるように制御される。このようにして、ＦＭ無線信号の受信中、ＴＶ復調及び処理ユニットＴＶＤＰＵ２ の不確定の出力信号がＡＧＣ増幅器ＡＧＣ−ＡＭＰ２ に影響を及ぼさないようにする。このようにすることで、同調器の動作及び受信機の動作が更に改善される。
【００１４】
上述した実施例は、本発明をこれらに限定するものではなく、当業者は、本発明の範囲から逸脱することなく多くの他の実施例を設計できるであろうことに留意すべきである。本発明は、数個の別々の素子を具えるハードウェアと、適切にプログラミングされたコンピュータとによって実施しうる。数個の手段を列挙した本発明の装置の請求項では、これら手段の数個をハードウェアの同一の素子を以て構成しうる。ある手段を互いに異なる従属項に記載したという単なる事実は、これら手段を組み合わせて用いるのが有利でないということを表わすものではない。
【図面の簡単な説明】
【図１】本発明による受信機の一実施例である。
【図２】本発明による受信機の他の実施例である。
【国際公開パンフレット】
2004508741.tif 000002
2004508741.tif 000003
2004508741.tif 000004
2004508741.tif 000005
2004508741.tif 000006
2004508741.tif 000007
2004508741.tif 000008
2004508741.tif 000009
2004508741.tif 000010
【国際公開パンフレット（コレクトバージョン）】
2004508741.tif 000011
【国際公開パンフレット（コレクトバージョン）】
2004508741.tif 000012
【国際調査報告】
2004508741.tif 000013
2004508741.tif 000014
2004508741.tif 000015
2004508741.tif 000016